(57)【要約】      （修正有）【課題】透過型液晶表示装置を有する商品格納装置において、透過型液晶表示装置の交換コストを抑制する。【解決手段】商品格納装置は、前方から視認できるように商品を陳列して格納するか又は格納した商品のサンプルを前方から視認できるように設置する筐体と、前記筐体の前面に配置された透過型液晶表示装置９と、を有する。前記透過型液晶表示装置９は、透明な外側保護板１３ａと、前記外側保護板１３ａよりも前記筐体側に配置された透明な内側保護板１３ｂと、前記外側保護板１３ａと前記内側保護板１３ｂとの間に配置された透過型液晶パネル１３ｃと、を有した液晶パネル組立体１３と、前記液晶パネル組立体１３よりも前記筐体側に着脱可能に配置され、前記透過型液晶パネル１３ｃのバックライトとして機能する透明な導光板１４と、を含む。【選択図】図６
2016212504.tif 000002
【特許請求の範囲】
【請求項１】
前方から視認できるように商品を陳列して格納するか又は格納した商品のサンプルを前方から視認できるように設置する筐体と、
前記筐体の前面に配置された透過型液晶表示装置と、
を有する商品格納装置であって、
前記透過型液晶表示装置は、
透明な外側保護板と、前記外側保護板よりも前記筐体側に配置された透明な内側保護板と、前記外側保護板と前記内側保護板との間に配置された透過型液晶パネルと、を有した液晶パネル組立体と、
前記液晶パネル組立体よりも前記筐体側に着脱可能に配置され、前記透過型液晶パネルのバックライトとして機能する透明な導光板と、
を含む、商品格納装置。
【請求項２】
前記導光板は、前記液晶パネル組立体の前記内側保護板の筐体側の面に密着して配置されている、請求項１に記載の商品格納装置。
【請求項３】
前記液晶パネル組立体において、前記外側保護板及び前記内側保護板はガラスによって形成され、前記透過型液晶パネルは、前記外側保護板と前記内側保護板との間に形成された中空層内に前記外側保護板に密着するように配置されている、請求項１又は請求項２に記載の商品格納装置。
【請求項４】
前記中空層は、前記外側保護板と前記内側保護板との間に乾燥剤入りスペーサを配置することにより形成されている、請求項３に記載の商品格納装置。
【発明の詳細な説明】
【技術分野】
【０００１】
本発明は、透過型液晶表示装置を有する商品格納装置に関する。
【背景技術】
【０００２】
特許文献１には、半透明のデジタル映像表示システムを有する縦型冷却庫が記載されている。前記デジタル映像表示システムは、透明な外側保護パネルと、透明な内側保護パネルと、前記外側保護パネルと前記内側保護パネルとの間に配置された半透明のＬＣＤ映像パネルと、前記外側保護パネルと前記内側保護パネルとの間に配置された透明な光ガイドとで構成されている。
【先行技術文献】
【特許文献】
【０００３】
【特許文献１】特表２０１４−５０９５２８号公報
【発明の概要】
【発明が解決しようとする課題】
【０００４】
特許文献１に記載の縦型冷却庫では、例えば前記デジタル映像表示システムの前記外側保護パネルが割れた場合、前記デジタル映像表示システム全体を交換する必要があり、交換コストが高くなるという問題があった。
【０００５】
そこで、本発明は、透過型液晶表示装置を有する商品格納装置において、透過型液晶表示装置の交換コストを抑制することを目的とする。
【課題を解決するための手段】
【０００６】
本発明の一側面によると、前方から視認できるように商品を陳列して格納するか又は格納した商品のサンプルを前方から視認できるように設置する筐体と、前記筐体の前面に配置された透過型液晶表示装置と、を有する商品格納装置が提供される。前記透過型液晶表示装置は、透明な外側保護板と、前記外側保護板よりも前記筐体側に配置された透明な内側保護板と、前記外側保護板と前記内側保護板との間に配置された透過型液晶パネルと、を有した液晶パネル組立体と、前記液晶パネル組立体よりも前記筐体側に着脱可能に配置され、前記透過型液晶パネルのバックライトとして機能する透明な導光板と、を含む。
【発明の効果】
【０００７】
前記商品格納装置においては、前記導光板が前記液晶パネル組立体よりも前記筐体側に着脱可能に配置されている。このため、例えば前記液晶パネル組立体の前記外側保護板が割れた場合、前記透過型液晶表示装置から前記導光板を取り外した状態で、前記液晶パネル組立体を交換すればよく、前記導光板を交換する必要がない。すなわち、前記導光板は再使用され得る。このため、従来よりも交換コストを抑制することができる。
【図面の簡単な説明】
【０００８】
【図１】本発明の一実施形態による商品格納装置の正面図
【図２】前記商品格納装置の斜視図
【図３】前記商品格納装置の前面扉の組立を示す分解斜視図
【図４】前記前面扉の前面を示す斜視図
【図５】前記前面扉の後面を示す斜視図
【図６】前記前面扉に搭載された透過型液晶表示装置の構造を示す図１のＡ−Ａ’線断面図
【発明を実施するための形態】
【０００９】
以下、本発明の実施形態を添付図面に基づいて説明する。
図１は、本発明の一実施形態による商品格納装置１の正面図であり、図２は、商品格納装置１の斜視図である。本実施形態において、商品格納装置１は、商品を陳列して格納するショーケースである。しかし、これに限るものではなく、商品格納装置１は、自動販売機、冷蔵庫、その他、非冷式の貯蔵庫等であり得る。
【００１０】
図１、２において、商品格納装置１は筐体２を有する。筐体２は、商品を陳列して格納するための商品格納庫３と、その下方に位置し、商品格納庫３を冷却するファン冷却式空調機を格納した空調格納庫４と、に仕切られている。
【００１１】
商品格納庫３は、その内部に、商品を陳列して格納するための商品ラック（棚）５を縦方向（上下方向）に複数段有しており、そこに商品が陳列されている。また、商品格納庫３は、前面に開口部分を有しており、この開口部分が、片開きの前面扉６によって覆われている。なお、商品格納庫３が自動販売機等である場合には、商品ラック５上に商品に代えて商品のサンプルが陳列されてもよい。
【００１２】
前面扉６には、取手（ハンドル）７が取付けられており、これにより前面扉６を開けて商品格納庫３に陳列された商品を取り出せるようになっている。前面扉６は、前方から商品格納庫３内の商品を視認できるように形成された窓部８を有し、この窓部８には、商品情報等を表示可能な透過型液晶表示装置９が配置されている。すなわち、本実施形態においては、商品格納装置１は、透過型液晶表示装置９によって商品情報等の映像を表示することができると共に、商品格納装置１を前にした消費者が、透過型液晶表示装置９を通して、商品格納庫３に陳列された商品を前方から視認することができるように構成されている。
【００１３】
図３〜５は、前面扉６の構造を説明するための図である。
図３は、前面扉６の組立を示す分解斜視図であり、図４は、前面扉６の前面を示す斜視図であり、図５は、前面扉６の後面を示す斜視図である。
【００１４】
図３〜５に示すように、前面扉６は、扉カバー１０と、フレーム１１と、透過型液晶表示装置９と、商品格納庫３の密閉性向上用のパッキン１２と、を含む。扉カバー１０に窓部８が形成され、扉カバー１０の前面に取手７が取付けられている。
【００１５】
透過型液晶表示装置９は、液晶パネル組立体１３と、導光板１４と、を含む。液晶パネル組立体１３は、外側保護板１３ａと、内側保護板１３ｂと、透過型液晶パネル１３ｃ等を含むが、詳細な構造については後述する。液晶パネル組立体１３は、その周縁をフレーム１１によって囲繞された状態で扉カバー１０に嵌め込まれる。また、このフレーム１１中に液晶表示用の駆動回路が内蔵された構造となっている。
【００１６】
導光板１４は、液晶パネル組立体１３に密着して配置される。具体的には、導光板１４は、その周縁が冷陰極管又はＬＥＤライト等の光源を内包したフレーム１６により囲繞された状態で、次のようにして液晶パネル組立体１３に対して密着して配置される。
【００１７】
まず、導光板支え部材１５ａ、１５ｂ及び導光板押さえ部材１５ｃ、１５ｄが、液晶パネル組立体１３のフレーム１１に取付けられる。次に、導光板１４が導光板支え部材１５ａと導光板支え部材１５ｂとの間に装着される。この状態で、導光板１４のフレーム１６が、導光板支え部材１５ａにネジ止め固定される。次に、導光板押さえ部材１７ａ、１７ｂが、導光板押さえ部材１５ｃ、１５ｄにそれぞれ取付けられる。次に、導光板１４のフレーム１６が、導光板押さえ部材１７ａ、１７ｂにネジ止め固定される。そして、導光板押さえ部材１７ｃが導光板支え部材１５ｂに取付けられる。そして、導光板１４のフレーム１６が、導光板押さえ部材１７ｃにネジ止め固定される。このようにして、導光板１４は、液晶パネル組立体１３に密着して配置されると共に、液晶パネル組立体１３に対して着脱可能に保持される。なお、本実施形態において、導光板１４は、液晶パネル組立体１３に対して、フレーム１１を介して着脱可能に保持されているが、これに限るものではなく、液晶パネル組立体１３に対して着脱可能なように、液晶パネル組立体１３に直接取付けられてもよい。
【００１８】
その後、図３に示すように、導光板１４の図示上方から、扉カバー１０の周縁を覆うようにパッキン１２が取付けられ、これにより、透過型液晶表示装置９が搭載された前面扉６が形成される（図４、５を参照）。
【００１９】
図６は、透過型液晶表示装置９を説明するための図である。
図６は、前面扉６に搭載された透過型液晶表示装置９の構造を示す図１のＡ−Ａ’線断面図である。
【００２０】
図６に示すように、透過型液晶表示装置９は、液晶パネル組立体１３と、導光板１４と、を含む。尚、図６において、扉カバー１０、パッキン１２、導光板支え部材１５ａ、１５ｂ、及び導光板押さえ部材１５ｃ、１５ｄ、１７ａ〜ｃは図示省略されている。
【００２１】
液晶パネル組立体１３は、上述したように、外側保護板１３ａと、内側保護板１３ｂと、透過型液晶パネル１３ｃと、スペーサ１３ｄと、を含む。外側保護板１３ａ及び内側保護板１３ｂは、例えば、透明な板ガラス等により形成されている。外側保護板１３ａ（以下、外側ガラス１３ａとする）は、商品格納庫３外側（庫外側）に配置されている。内側保護板１３ｂ（以下、内側ガラス１３ｂとする）は、外側ガラス１３ａよりも筐体２側、すなわち商品格納庫３内側（庫内側）に配置されている。外側ガラス１３ａと内側ガラス１３ｂとの間には、例えば、シリカゲル等の乾燥剤入りのスペーサ１３ｄが配置されており、これにより、中空層２０が形成されている。
【００２２】
そして、中空層２０内に、透過型液晶パネル１３ｃが外側ガラス１３ａに密着するように配置されている。透過型液晶パネル１３ｃは、外側ガラス１３ａ及び内側ガラス１３ｂと共に、フレーム１１によってその周縁が囲繞されており、例えば、このフレーム１１中に液晶表示用の駆動回路が内蔵された構造となっている。また、中空層２０には、乾燥空気又はアルゴン等の気体が封入されるか、又は中空層２０を真空状態に保つことにより、中空層２０の断熱性が向上し、外側ガラス１３ａにおける結露の発生が抑制される。この中空層２０は、液晶パネル組立体１３の周縁をフレーム１１によって囲繞することにより密閉されてもよいし、液晶パネル組立体１３が配置される際に、シール部材等により密閉されてもよい。すなわち、液晶パネル組立体１３は、これら外側ガラス１３ａ、内側ガラス１３ｂ、及び透過型液晶パネル１３ｃの周縁をシール部材により囲繞した状態で一体に形成されてもよいし、これら各部材１３ａ、１３ｂ及び１３ｃの周縁をフレーム１１によって囲繞することにより、各部材１３ａ、１３ｂ及び１３ｃそれぞれを取り外しできるように形成されてもよい。
【００２３】
導光板１４は、液晶パネル組立体１３の内側ガラス１３ｂの庫内側に密着し且つ着脱可能に配置されている。この導光板１４は、上述したように、その周縁を囲繞するフレーム１６に内包された光源からの光を均一に拡散する。すなわち、導光板１４は、透過型液晶パネル１３ｃによる液晶表示を可能とするサイドライト式（エッジライト式）のバックライトとして機能する。導光板１４は、例えば、その片面に反射ドット印刷などの加工が施された透明なガラス又はアクリル板等の材料で形成されている。
【００２４】
このように、本実施形態において、商品格納装置１は、前面扉６に搭載された透過型液晶表示装置９を通して前方から視認できるように商品を商品格納庫３に陳列して格納することができると共に、透過型液晶表示装置９によって内部の商品に重ねて映像表示することにより、販売促進効果を向上させることができる。なお、透過型液晶表示装置９は、前面全域にタッチパネルを有するものであってもよい。
【００２５】
ここで、本実施形態において、透過型液晶表示装置９は、透明な外側ガラス１３ａと、外側ガラス１３ａよりも筐体２側に配置された透明な内側ガラス１３ｂと、外側ガラス１３ａと内側ガラス１３ｂとの間に配置された透過型液晶パネル１３ｃとを有した液晶パネル組立体１３と、透過型液晶パネル１３ｃのバックライトとして機能する透明な導光板１４と、を含む。そして、導光板１４は、液晶パネル組立体１３よりも筐体２側に液晶パネル組立体１３に対して着脱可能に配置されている。より具体的には、導光板１４は、内側ガラス１３ｂの筐体２側の面に密着し且つ着脱可能に配置されている。このため、例えば外側ガラス１３ａが割れた場合、透過型液晶表示装置９から導光板１４を取り外した状態で、液晶パネル組立体１３を交換すればよく、導光板１４を交換する必要がない。すなわち、導光板１４は再使用され得る。このため、従来よりも交換コストを抑制することができる。
【００２６】
また、本実施形態においては、導光板１４が液晶パネル組立体１３の内側ガラス１３ｂよりも筐体２側の面に密着して配置されている。このため、内側ガラス１３ｂが商品格納庫３内の冷気に直接さらされることがないので、外側ガラス１３ａ及び内側ガラス１３ｂが冷却されにくくなる。したがって、外側ガラス１３ａにおける結露の発生を抑制することができる。
【００２７】
また、本実施形態においては、導光板１４が内側ガラス１３ｂよりも筐体２側の面に密着して配置されている。このため、内側ガラス１３ｂが導光板１４により保護されるので、従来に比べ内側ガラス１３ｂの強度が向上する。
【００２８】
また、本実施形態においては、透過型液晶パネル１３ｃのバックライトとして透明な導光板１４が用いられている。このため、商品格納庫３内の商品の前方からの視認性、及び透過型液晶表示装置９により表示される映像の視認性を確保することができる。したがって、商品格納庫３の内部に照明装置等を設けて内部を明るくする必要がないので、前面扉６を開けて商品を取り出す際の眩しさを抑制することができる。
【００２９】
尚、上述の実施形態において、商品格納装置１は、筐体２の前面に前面扉６が設けられ、この前面扉６に透過型液晶表示装置９が搭載された構造である。しかし、これに限られず、筐体２の前面に透過型液晶表示装置９のみを設け、筐体２の側面に商品を取り出すための扉を設けてもよい。
【符号の説明】
【００３０】
１…商品格納装置
２…筐体
３…商品格納庫
４…空調格納庫
６…前面扉
９…透過型液晶表示装置
１１…フレーム
１３…液晶パネル組立体
１３ａ…外側保護板（外側ガラス）
１３ｂ…内側保護板〈内側ガラス）
１３ｃ…透過型液晶パネル
１３ｄ…乾燥剤入りスペーサ
１４…導光板
１６…フレーム
２０…中空層
【図１】
2016212504.tif 000003
【図２】
2016212504.tif 000004
【図３】
2016212504.tif 000005
【図４】
2016212504.tif 000006
【図５】
2016212504.tif 000007
【図６】
2016212504.tif 000008